(57)【要約】      （修正有）【課題】綿等を内部につめてぬい合わせた動物等のぬいぐるみにおいて、意匠性を発揮し、使用者の注意を引き付けて愛着を抱かせたり、或いは購買意欲をかきたてると共に、ぬいぐるみに対して簡易な構造で光ファイバーを備え付ける構造を提供する。【解決手段】表面に形成した複数の貫通孔１２，２２，３２と、貫通孔に挿通した複数の光ファイバー１０，２０，３０と、光ファイバーを発光する光源とを備え、また、光ファイバーの先端に貫通孔に係止する広径部を備え或いは貫通孔に溶着して成ることを特徴とぬいぐるみである。【選択図】図１
0003133221.tif 000002
【実用新案登録請求の範囲】
【請求項１】
表面に形成した複数の貫通孔と、前記貫通孔に挿通した複数の光ファイバーと、前記光ファイバーを発光する光源とを備えたことを特徴とするぬいぐるみ。
【請求項２】
光ファイバーの先端を貫通孔に溶着して成ることを特徴とする請求項１に記載のぬいぐるみ。
【請求項３】
ファイバーの先端に貫通孔に係止する広径部を備えたことを特徴とする請求項１に記載のぬいぐるみ。
【請求項４】
光ファイバーの先端に貫通孔に係止する広径部を備えると共に前記広径部を貫通孔に溶着して成ることを特徴とする請求項１に記載のぬいぐるみ。
【請求項５】
光源を発光ダイオードとし、前記発光ダイオードと複数の光ファイバーの後端を束ねた後端束部とを連結する連結手段を備えたことを特徴とする請求項１〜４に記載のぬいぐるみ。
【請求項６】
光源を遮光する遮光手段を備え、前記遮光手段は、複数の光ファイバーの後端を束ねた後端束部が挿入される開口を備えることを特徴とする請求項１〜５に記載のぬいぐるみ。
【請求項７】
複数の光ファイバーの後端を束ねた後端束部を備え、該後端束部の先端側を分割して少なくとも二以上の貫通孔群にそれぞれ挿通したことを特徴とする請求項５、６に記載のぬいぐるみ。
【請求項８】
光源を遮光する遮光手段を備え、前記遮光手段は複数の光ファイバーの後端を束ねた後端束部と対向する方向に開口を有し、該開口から光ファイバーの先端を導出すると共に分割して少なくとも二以上の貫通孔群にそれぞれ挿通したことを特徴とする請求項５〜７に記載のぬいぐるみ。
【考案の詳細な説明】
【技術分野】
【０００１】
本考案は、綿等を内部につめてぬい合わせた動物などのぬいぐるみ、より具体的には光ファイバーによって発光するぬいぐるみに関する。
【背景技術】
【０００２】
綿等を内部につめてぬい合わせた動物等のぬいぐるみは、子供等の玩具として広く普及しており、その形状、動き、音声（鳴き声）等によって、意匠性を発揮したり、使用者の注意を引き付けて愛着を抱かせたり、或いは購買意欲をかきたてるものである。
【特許文献１】特開２００４−３２９６２３号公報
【考案の開示】
【考案が解決しようとする課題】
【０００３】
そこで、本考案は、綿等を内部につめてぬい合わせた動物等のぬいぐるみにおいて、光ファイバーを用いた発光部を備えて、意匠性を発揮し、使用者の注意を引き付けて愛着を抱かせたり、或いは購買意欲をかきたてるものを提供すると共に、ぬいぐるみに対して簡易な構造で光ファイバーを備え付ける構造を提供するものである。
【課題を解決するための手段】
【０００４】
本考案は、表面に形成した複数の貫通孔と、前記貫通孔に挿通した複数の光ファイバーと、前記光ファイバーを発光する光源とを備えたことを特徴とするぬいぐるみ、である（請求項１）。
【０００５】
また、本考案は、光ファイバーの先端を貫通孔に溶着して成ることを特徴とする請求項１に記載のぬいぐるみ、である（請求項２）。
【０００６】
また、本考案は、光ファイバーの先端に貫通孔に係止する広径部を備えたことを特徴とする請求項１に記載のぬいぐるみ、である（請求項３）
【０００７】
また、本考案は、光ファイバーの先端に貫通孔に係止する広径部を備えると共に前記広径部を貫通孔に溶着して成ることを特徴とする請求項１に記載のぬいぐるみ、である（請求項４）。
【０００８】
また、本考案は、光源を発光ダイオードとし、前記発光ダイオードと複数の光ファイバーの後端を束ねた後端束部とを連結する連結手段を備えたことを特徴とする、請求項１〜４に記載のぬいぐるみである（請求項５）。
【０００９】
また、本考案は、光源を遮光する遮光手段を備え、前記遮光手段は、複数の光ファイバーの後端を束ねた後端束部が挿入される開口を備えることを特徴とする請求項１〜５に記載のぬいぐるみ、である（請求項６）。
【００１０】
また、本考案は、複数の光ファイバーの後端を束ねた後端束部を備え、該束の先端側を分割して少なくとも二以上の貫通孔群にそれぞれ挿通したことを特徴とする請求項５、６に記載のぬいぐるみ、である（請求項７）。
【００１１】
また、本考案は、光源を遮光する遮光手段を備え、前記遮光手段は複数の光ファイバーの後端を束ねた後端束部と対向する方向に開口を有し、該開口から光ファイバーの先端を導出すると共に分割して少なくとも二以上の貫通孔群にそれぞれ挿通したことを特徴とする請求項５〜７に記載のぬいぐるみ、である（請求項８）。
【考案の効果】
【００１２】
本考案は、表面に複数の貫通孔を形成し、前記貫通孔に挿通した複数の光ファイバーと、前記光ファイバーを発光する光源を備えたことを特徴とするぬいぐるみであるから、ぬいぐるみの表面に複数の光ファイバーを任意に配置することができ、意匠効果の高いぬいぐるみを提供できると共に、光ファイバーの先端を貫通孔に溶着し或いは貫通孔に係止する広径部を備えることから、ぬいぐるみに対して簡易な構造で光ファイバーを備え付けることができる。
【考案を実施するための最良の形態】
【００１３】
以下、本考案を実施するための最良の形態を、実施例として示す図１〜図４と共に説明する。
【実施例】
【００１４】
本実施例に係るぬいぐるみＮは、図１、２に示すように、アクリル繊維からなる表面布の内部にポリエステル繊維からなる中綿を充填したウサギの形状を模したぬいぐるみであって、一方の目の領域（第１の領域）を示す楕円形部分Ｅに、複数の光ファイバー１０の先端１１が挿通されて露出する複数の貫通孔１２と、複数の貫通孔１２からなる第１の貫通孔群１３を形成し、ぬいぐるみの他方の目の領域（第２の領域）を示す楕円形部分Ｅに、複数の光ファイバー２０の先端が挿通されて露出する複数の貫通孔２２と、複数の貫通孔２２からなる第２の貫通孔群２３を形成し、さらに、ぬいぐるみの口の領域（第３の領域）を示す略扇形部分Ｍに、複数の光ファイバー３０の先端が挿通されて露出する複数の貫通孔３２と、複数の貫通孔３２からなる第３の貫通孔群３３とを形成する。
【００１５】
また、図２、３に示すように、複数の光ファイバーの後端を束ねて成る略円柱形状の後端束部１４は、その後端面が光源たる発光ダイオード４の先端面に対向するように設置され、前後に開口を有する筒状の連結部５の後端開口から発光ダイオードを挿入すると共に、筒状の連結部５の前端開口から光ファイバー１０の後端束部１４を挿入することによって、光ファイバー１０と発光ダイオード４の両者は連結部５によって連結される。また、前後に開口を有する略円筒状であって黒色のファイルムで形成された遮光部６が、発光ダイオード４、光ファイバー１０の後端束部１４、前二者を連結する連結部５を外側から覆い、遮光部６の後端開口から発光ダイオード４の電源コードＣを導出し、遮光部６の前端開口から光ファイバー１０を導出する。なお、図示しないが、光ファイバー２０、３０についても同様である。
【００１６】
図２に示すとおり、複数の光ファイバーの後端を束ねると共に、光ファイバーの束の先端側を分割して貫通孔群１３、２３にそれぞれ挿通している。
【００１７】
発光ダイオード４は、制御装置７によって制御され、電源部８によってＯＮ、ＯＦＦ操作される。また、貫通孔群１３、２３に挿通された光ファイバー群と、貫通孔群３３に挿通された光ファイバー群は、制御装置７により、交互に発光するように制御される。
【００１８】
また、図４に示すとおり、光ファイバー１０の先端１１は、ぬいぐるみＮの表面ＮＦに穿孔された貫通孔１２に対して挿通され、表面ＮＦよりも外方に突出させた後（図４ａ，ｂ）、光ファイバー１０の先端１１の最先端をホットカッターやはんだごて等で加熱して切断することにより、光ファイバーの先端を熱変形させ、先端以外の部分によりも若干広径である広径部１１ａを形成し（図４ｃ、貫通孔１２よりも若干広径である。）、その後、光ファイバー１０をぬいぐるみＮの内方に引っ張り下げて、挿通孔１２に係止ないし溶着される（加熱切断に伴う発熱により光ファイバーの材料が溶け、貫通孔付近にこびり付いて固着される）。なお、図示しないが、光ファイバー２０、３０も同様である。このようなものであると、簡易な構造で光ファイバーを貫通孔に固定することがきる。
【００１９】
光ファイバーは、プラスチック製光ファイバー(Plastic Optical Fiber)が好ましく、クラッド材料には低屈折率をもつフッ素系ポリマーが用いられる。また、コア材料には、高屈折率、透明性、強度などが必要とされるので、完全フッ素化ポリマー、ポリメタクリル酸メチル(PMMA)系物質、ポリカーボネート、ポリスチレンが用いられる。
【００２０】
なお、本実施例では、光ファイバーの先端を貫通孔に対して係止・溶着するものとしたが、係止するだけであっても良く、また溶着するだけであっても良い。
【００２１】
電源部８をＯＮ操作すると、制御装置７を介して発光ダイオード４が点灯ないし点滅する。点灯ないし点滅する発光ダイオード４が発する光が光ファイバーの束の後端束部１４に照射されると、光ファイバーが導光機能を発揮し、光ファイバー１０の先端１１が発光する。光ファイバー１０の先端１１は、ぬいぐるみの表面ＮＦに穿孔された貫通孔群から外方に露出し、第１、２の領域Ｅ、第３の領域Ｍを発光させて意匠性を高めている。
【００２２】
なお、本実施例は、アクリル繊維からなる表面布の内部にポリエステル繊維からなる中綿を充填したウサギの形状を模したぬいぐるみであるが、材料や形状は特にこれに限るものではなく、他の動物やキャラクター等で構成することもできる。
【図面の簡単な説明】
【００２３】
【図１】本考案の実施例を示す外観斜視図
【図２】本考案の実施例の内部構造を示す図
【図３】本考案の実施例の光ファイバーの後端束部付近を示す断面図。
【図４】本考案の実施例の光ファイバーの先端付近を示す図
【符号の説明】
【００２４】
１２、２２、３２  貫通孔
１０、２０、３０  光ファイバー
１１  光ファイバーの先端
１１ａ  広径部
４  光源
５  連結部
６  遮光部
【図１】
0003133221.tif 000003
【図２】
0003133221.tif 000004
【図３】
0003133221.tif 000005
【図４】
0003133221.tif 000006